(57)【要約】【課題】長手方向における端部が暗くなるのを抑えた光源ユニット及びそれを用いた照明器具を提供する。【解決手段】光源ユニット２は、長尺状に形成され長手方向に沿って複数のＬＥＤ２２２が実装される基板２２と、基板２２の長手方向と同方向を長手方向とし且つ基板２２の幅方向と同方向を幅方向とした状態で基板２２が取り付けられる取付部材２１とを備える。基板２２は、長手方向における一端側で且つ幅方向における一端側に実装され電源装置２４からの電線が接続されるコネクタ２２３を有する。取付部材２１は、長手方向における一端側で且つ幅方向における他端側に設けられ上記電線が挿通される挿通孔２１１ａを有する。そして、基板２２は、取付部材２１に取り付けた状態において、コネクタ２２３を幅方向に沿って挿通孔２１１ａと並べて配置し且つ挿通孔２１１ａをＬＥＤ２２２側に露出させるように構成される。【選択図】図１
2014179211.tif 000002
【特許請求の範囲】
【請求項１】
長尺状に形成され長手方向に沿って複数の発光素子が実装される基板と、前記基板の長手方向と同方向を長手方向とし且つ前記基板の幅方向と同方向を幅方向とした状態で前記基板が取り付けられる取付部材とを備え、
前記基板は、長手方向における一端側で且つ幅方向における一端側に実装され電源装置からの電線が接続される接続部を有し、
前記取付部材は、長手方向における一端側で且つ幅方向における他端側に設けられ前記電線が挿通される第１挿通孔を有し、
前記基板は、前記取付部材に取り付けた状態において、前記接続部を幅方向に沿って前記第１挿通孔と並べて配置し且つ前記第１挿通孔を前記発光素子側に露出させるように構成されることを特徴とする光源ユニット。
【請求項２】
前記基板を２枚備え、
前記取付部材は、前記取付部材の中心に対して前記第１挿通孔と点対称な位置に設けられ前記電線が挿通される第２挿通孔を有し、
２枚の前記基板は、前記取付部材の中心に対して点対称となるように前記取付部材に取り付けられることを特徴とする請求項１記載の光源ユニット。
【請求項３】
請求項１又は２記載の光源ユニットを備えることを特徴とする照明器具。
【発明の詳細な説明】
【技術分野】
【０００１】
本発明は、光源ユニット及びそれを用いた照明器具に関するものである。
【背景技術】
【０００２】
従来より、発光ダイオードなどの半導体発光素子を用いた照明器具が提供されている（例えば特許文献１参照）。この照明器具は、それぞれ長尺状に形成され長手方向に沿って複数の半導体発光素子が実装される２枚の基板と、これら２枚の基板が取り付けられる長尺状の器具本体とを備える。
【０００３】
各基板の長手方向における一端部には、他方の基板と連結するための連結コネクタが実装され、また各基板の長手方向における他端部には、電源線又は短絡片を接続するための端部コネクタが実装されている。一方、器具本体の長手方向における一端部には、上記電源線を通すための孔が設けられている。
【０００４】
そして、連結コネクタ同士を連結させることで一列に並べられた両基板を器具本体に取り付け、さらに上記孔に通した電源線を一方の基板の端部コネクタに接続し、短絡片を他方の基板の端部コネクタに接続することで、照明器具が組み立てられる。
【先行技術文献】
【特許文献】
【０００５】
【特許文献１】特開２０１０−９８３０２号公報
【発明の概要】
【発明が解決しようとする課題】
【０００６】
ところで、上述の特許文献１に示した照明器具では、半導体発光素子よりも外側に連結コネクタ及び端部コネクタが配置され、さらに一方の基板の端部コネクタよりも外側に上記孔が配置されているため、半導体発光素子から放射される光が器具本体の端部に届きにくく、中央部に比べて端部が暗くなるという問題があった。
【０００７】
本発明は上記問題点に鑑みて為されたものであり、その目的とするところは、長手方向における端部が暗くなるのを抑えた光源ユニット及びそれを用いた照明器具を提供することにある。
【課題を解決するための手段】
【０００８】
本発明の光源ユニットは、長尺状に形成され長手方向に沿って複数の発光素子が実装される基板と、基板の長手方向と同方向を長手方向とし且つ基板の幅方向と同方向を幅方向とした状態で基板が取り付けられる取付部材とを備え、基板は、長手方向における一端側で且つ幅方向における一端側に実装され電源装置からの電線が接続される接続部を有し、取付部材は、長手方向における一端側で且つ幅方向における他端側に設けられ電線が挿通される第１挿通孔を有し、基板は、取付部材に取り付けた状態において、接続部を幅方向に沿って第１挿通孔と並べて配置し且つ第１挿通孔を発光素子側に露出させるように構成されることを特徴とする。
【０００９】
この光源ユニットにおいて、基板を２枚備え、取付部材は、取付部材の中心に対して第１挿通孔と点対称な位置に設けられ電線が挿通される第２挿通孔を有し、２枚の基板は、取付部材の中心に対して点対称となるように取付部材に取り付けられるのが好ましい。
【００１０】
本発明の照明器具は、上記の光源ユニットを備えることを特徴とする。
【発明の効果】
【００１１】
本発明の構成によれば、基板を取付部材に取り付けた状態では、取付部材の幅方向において接続部と第１挿通孔が並べて配置されるので、取付部材の長手方向において接続部と第１挿通孔が並べて配置される場合に比べて、取付部材の端部寄りに発光素子を配置することが可能になり、その結果、長手方向における端部が暗くなるのを抑えた光源ユニット及びそれを用いた照明器具を提供することができるという効果がある。
【図面の簡単な説明】
【００１２】
【図１】（ａ）、（ｂ）は本実施形態の光源ユニットの要部を示す模式的な平面図である。
【図２】同上を用いた照明器具の分解斜視図である。
【図３】同上を用いた照明器具の外観斜視図である。
【図４】同上を用いた照明器具の断面図である。
【発明を実施するための形態】
【００１３】
以下に、光源ユニット及び照明器具の実施形態について図１〜図４を参照しながら説明する。なお、以下の説明では特に断りがない限り、図４に示す向きにおいて上下左右の方向を規定し、さらに図４中の紙面に垂直な方向を前後方向（手前側が前側）と規定して説明を行う。
【００１４】
本実施形態の照明器具Ａは、図４に示すように天井直付け型の照明器具であり、吊ボルト２００を用いて天井材１００に取り付けられる器具本体１と、器具本体１に対して着脱自在に取り付けられる光源ユニット２とを備える。
【００１５】
器具本体１は、板金に曲げ加工を施すことで長尺且つ上面（天井材１００との対向面）が開口する扁平な箱状に形成され、天井材１００と反対側（下側）には光源ユニット２を収容するための矩形の凹部１１が全長に亘って設けられている（図２参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図４参照）。
【００１６】
また、凹部１１の底面部１１１には、電線を通すための孔１１１ａが前後方向（長手方向）に沿って複数（図２では５個）設けられており、さらに吊ボルト２００を通すための孔１１１ｂが前後方向における両端寄りにそれぞれ２個ずつ設けられている。また、凹部１１の底面部１１１には端子台（図示せず）が取り付けられており、この端子台と後述する電源装置２４の間は電線により接続されている。
【００１７】
光源ユニット２は、図２に示すように、複数（図２では２個）の基板２２と、基板２２が取り付けられる取付部材２１と、基板２２を覆うようにして取付部材２１に取り付けられるカバー部材２３と、基板２２に所定の点灯電力を供給する電源装置２４とを具備する。
【００１８】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、各基板２２において隣接する基板２２と対向しない側の端部には、コネクタ２２３が左右方向（幅方向）における一端側に実装されており、さらに溝２２５が左右方向における他端側に設けられている。なお、コネクタ２２３には、電源装置２４との間を電気的に接続するための電線（図示せず）が接続されており、本実施形態ではコネクタ２２３により接続部が構成されている。
【００１９】
また、各基板２２において隣接する基板２２と対向する側の端部には、電源供給用のコネクタ２２４が実装されている。そして、両基板２２，２２のコネクタ２２４，２２４を接続することで、両基板２２，２２と電源装置２４の間が電気的に接続され、電源装置２４から両基板２２，２２に対して所定の点灯電力が供給される。
【００２０】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図４に示すように、互いに離れる向き（外向き）に傾斜する傾斜部２１２ａが全長に亘って設けられている。
【００２１】
底面部２１１の前後方向（長手方向）における両端部には、基板２２と電源装置２４を電気的に接続する上記電線を通すための孔２１１ａ，２１１ａ（第１挿通孔及び第２挿通孔）がそれぞれ設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。なお、上述した基板２２は、例えば取付部材２１の底面部２１１の一部を切り起こすことで形成された係止爪（図示せず）により取付部材２１に固定される。
【００２２】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図４参照）。
【００２３】
また、カバー部材２３の左右方向における両端部には、図４に示すように、光源ユニット２を器具本体１に取り付けた状態で、上下方向において器具本体１の凹部１１の開口端縁と重なる延出部２３２がそれぞれ設けられている。さらに、カバー部材２３の左右方向において各延出部２３２の内側には、上側（取付部材２１側）に突出する突壁部２３３が全長に亘って設けられており、各突壁部２３３の先端には内向きに突出する突起部２３３ａが設けられている。
【００２４】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。
【００２５】
収納ケース２４２は、図２に示すように、一面（取付部材２１の底面部２１１との対向面）が開口し且つ前後方向に長い矩形箱状に形成されており、開口側が取付部材２１の底面部２１１と対向するようにして、例えばねじなどを用いて取付部材２１の側面部２１２に取り付けられる。
【００２６】
ここで、図１（ａ）は、両基板２２，２２を取付部材２１に取り付けた状態を示す模式的な平面図である。本実施形態では、取付部材２１の前後方向（図１（ａ）中の左右方向）における両端部にそれぞれ設けられた孔２１１ａ，２１１ａが、取付部材２１の中心Ｐ１（重心）に対して点対称となる位置に設けられている。
【００２７】
また、２枚の基板２２，２２は、取付部材２１の中心Ｐ１に対して点対称となるように取付部材２１に取り付けられており、この状態では、孔２１１ａ，２１１ａが、基板２２，２２にそれぞれ設けられた溝２２５，２２５を通してＬＥＤ２２２側に露出している。さらに、この状態では、取付部材２１の前後方向における各端部において、孔２１１ａとコネクタ２２３とが幅方向（左右方向）に沿って横並びに配置されている。そのため、基板２２に実装されたＬＥＤ２２２を取付部材２１の長手方向における端部寄りに配置することが可能になる。
【００２８】
次に、光源ユニット２の組立手順について説明する。まず最初に、作業者は、電源装置２４を取付部材２１の底面部２１１の上面側に取り付け、さらに上記係止爪により２枚の基板２２，２２を取付部材２１の底面部２１１に固定する。このとき、２枚の基板２２，２２は、取付部材２１の中心Ｐ１に対して点対称となるように取付部材２１に取り付けられる。その後、作業者は、各基板２２のコネクタ２２３から導出する電線を取付部材２１の底面部２１１に設けた孔２１１ａにそれぞれ通し、その端部を電源装置２４に接続する。
【００２９】
そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。
【００３０】
続けて、照明器具Ａの施工手順について説明する。なお、以下の説明では、端子台が予め器具本体１に取り付けられているものとして説明する。まず最初に、作業者は、天井裏に先行配線された電源線（図示せず）を器具本体１の孔１１１ａに通し、さらに室内側に露出する吊ボルト２００を孔１１１ｂに通した後、吊ボルト２００にナット３００をねじ込んで器具本体１を天井材１００に固定する。
【００３１】
その後、作業者は、上記電源線の端部を上記端子台に接続し、さらに上記端子台と電源装置２４の間を電線により接続する。そして最後に、作業者は、電源装置２４が器具本体１の凹部１１内に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される（図３及び図４参照）。
【００３２】
本実施形態によれば、基板２２を取付部材２１に取り付けた状態では、取付部材２１の幅方向においてコネクタ２２３と孔２１１ａが並べて配置されるので、取付部材２１の長手方向においてコネクタ２２３と孔２１１ａが並べて配置される場合に比べて、取付部材２１の端部寄りにＬＥＤ２２２を配置することができる。その結果、取付部材２１の長手方向における端部が暗くなるのを抑えることができる。
【００３３】
また、取付部材２１の長手方向における端部が暗くなるのを抑えることで、器具全体としての美観性を向上させることができる。さらに、基板２２の形状を、取付部材２１の中心Ｐ１に対して点対称となるような形状とすることで、基板２２の形状を１種類に集約することができる。
【００３４】
なお、本実施形態では、基板２２が２枚の場合を例に説明したが、基板２２は１枚であってもよい。この場合においても、図１（ｂ）に示すように、基板２２に設けた溝２２５を通して孔２１１ａがＬＥＤ２２２側（下側）に露出し、且つ、コネクタ２２３と孔２１１ａが取付部材２１の幅方向において並べて配置されるようになっていればよい。これにより、同様に取付部材２１の長手方向における端部寄りにＬＥＤ２２２を配置することが可能になり、その結果、取付部材２１の長手方向における端部が暗くなるのを抑えることができる。
【００３５】
また、本実施形態では、孔２１１ａをＬＥＤ２２２側に露出させるために基板２２の角部に溝２２５を設けたが、溝２２５の代わりに孔２１１ａを露出可能な大きさの孔を設けてもよく、本実施形態に限定されない。
【符号の説明】
【００３６】
２  光源ユニット
２１  取付部材
２２  基板
２４  電源装置
２１１ａ  挿通孔（第１挿通孔）
２２２  ＬＥＤ（発光素子）
２２３  コネクタ（接続部）
【図１】
2014179211.tif 000003
【図２】
2014179211.tif 000004
【図３】
2014179211.tif 000005
【図４】
2014179211.tif 000006